(57)【特許請求の範囲】
【請求項１】
開口部が形成された上面部と落下口が形成された下面部とが対向することにより本体が形成され、前記開口部を開閉するための開閉板が前記上面部に回動可能に取り付けられており、開閉板が前記開口部を閉鎖した状態の本体と本体上部の蓋体とが密着することにより気密状のチャンバーが形成され、前記チャンバー内で袋体の真空処理又は／及びガス置換処理を少なくとも行う装置において、
前記開閉板の自由端側にストッパが設けられ、このストッパが開閉板上の袋体の自由落下を阻止するように開閉板の傾斜角度に追随して角度調整可能となっており、前記開閉板を回動させる開閉用駆動源が本体の内部に配置され、前記ストッパの角度調整を行う調整用駆動源が前記開閉板の下面に取り付けられていることを特徴とする袋体処理装置。
【発明の詳細な説明】
【０００１】
【発明の属する技術分野】
本発明は内容物が充填された袋体をセットして、所定の処理を行う袋体処理装置に関する。
【０００２】
【従来の技術】
袋体処理装置は内容物が充填された袋体内の真空処理やガス置換さらには袋口のシールを行うため使用される。図３は従来より使用されている袋体処理装置を示す。この装置は底板３１を有する本体３０と、この本体３０にヒンジ３３を介して開閉自在に取り付けられた蓋体３２とを備えており、蓋体３２が閉じて本体３０に密着することで処理を行うためのチャンバーが形成される。
【０００３】
３４及び３５はそれぞれ本体３０及び蓋体３２の対向位置に配置された熱シールバーであり、袋体の袋口をシールする。３６は蓋体３２の外面に取り付けられたロック部材、３７はこのロック部材３６と対向するように本体３０の外面に取り付けられたロック受けであり、チャンバーの気密状態を維持するために相互に係合する。３８は蓋体３２を開くためのレバーである。
【０００４】
このような袋対処理装置は、内容物が充填された袋体（図示省略）を本体３０の底面３１にセットし、蓋体３２を閉じて気密状態とし、この状態で袋体内の減圧や、ガス置換を行うと共に、熱シールバー３４、３５によって袋口の熱シールを行う。そして、これらの処理の後、蓋体３２を開いて、本体３０から袋体を取り出すものである。
【０００５】
【発明が解決しようとする課題】
しかしながら従来の袋対処理装置は、処理後の袋体を取り出すのに際して、蓋体３２のロックを解除して蓋体３２を開く必要があり、その操作が面倒となっている。又、これにより処理後の袋体と、次に処理する袋体とが交錯し易く、これらの整理が煩雑となる問題を有している。
【０００６】
本発明はこのような従来の問題点を考慮してなされたものであり、蓋体を開くことなく袋体の取出ができ、しかも処理後の袋体と次に処理する袋体との交錯がなく、取り扱い性が向上した袋体処理装置を提供することを目的とする。
【０００７】
【課題を解決するための手段】
本発明の袋体処理装置は、開口部が形成された上面部と落下口が形成された下面部とが対向することにより本体が形成され、前記開口部を開閉するための開閉板が前記上面部に回動可能に取り付けられており、開閉板が前記開口部を閉鎖した状態の本体と本体上部の蓋体とが密着することにより気密状のチャンバーが形成され、前記チャンバー内で袋体の真空処理又は／及びガス置換処理を少なくとも行う装置において、前記開閉板の自由端側にストッパが設けられ、このストッパが開閉板上の袋体の自由落下を阻止するように開閉板の傾斜角度に追随して角度調整可能となっており、前記開閉板を回動させる開閉用駆動源が本体の内部に配置され、前記ストッパの角度調整を行う調整用駆動源が前記開閉板の下面に取り付けられていることを特徴とする。
【０００８】
この装置は、開閉板が回動することで本体の上面部における開口部が開放され、これにより袋体が本体の下方に取り出される。従って蓋体を開く必要がなく、操作性が向上する。又、処理後の袋体が本体の下方に取り出され、次の処理の袋体が本体の上方からセットされるため、これらが交錯することがなくなる。ストッパは開閉板の回動に追随して角度が変化し、これにより袋体の自由落下を阻止する。このため袋体の不用意な落下がなく、袋体を確実に取り出すことができる。
【０００９】
【発明の実施の形態】
図１は本発明の実施の形態を示す。この装置は本体１と、本体１に対して開閉可能な蓋体２とを備えている。本体１は上面部及び下面部を有するボックス状に成形されていると共に、架台３の上端部に取り付けられることで作業に対する高さが確保されている。この本体１は内部に蓋体シリンダ４が起立状に設けられている。蓋体２はこの蓋体シリンダ４のロッドにブラケット５を介して連結されている。これにより蓋体シリンダ４が伸縮することで、蓋体２は実線で示す開き状態と、鎖線で示す閉じ状態となる。
【００１０】
本体１における蓋体との対応部位には開閉板７が設けられている。開閉板７は本体１の上面部に形成された開口部９を覆う形状及び大きさに成形されており、開口部９を塞ぐように作用する。そして開口部９を塞いだ状態では、袋体処理のためのチャンバー６が蓋体２との間に形成される。この開閉板７は回動中心となる回動軸８が一端側（右端側）に設けられる一方、他端側（左端側）が自由端となっている。
【００１１】
図示する形態において、開閉板７は側面から見て略Ｌ字形に形成されており、その屈曲端に開閉用シリンダ１０のロッドが連結されている。開閉用シリンダ１０は本体１内部の側面部分に取り付けられており、その伸縮で開閉板７を回動させるように作用する。これにより開閉板７は本体の上面部の開口部９の閉鎖を行うと共に、開口部９を開放する。
【００１２】
かかる開閉板７の自由端側には、ストッパ１１が取り付けられている。このストッパ１１は略中央部分がピン１２を介して開閉板７の自由端側に回動可能に連結されており、その一端側（右端側）には調整シリンダ１３が連結されている。さらにストッパ１１の他端側（左端側）は開閉板７と同様に自由端となっているが、この自由端は開閉板７の自由端よりもさらに延びており、この延設部分が袋体２０を受け止めるようになっている。
【００１３】
調整シリンダ１３は開閉板７の下面に取り付けられており、その伸縮作動によって、ストッパ１１を回動させ、これにより開閉板７に対するストッパ１１の角度調整が行われる。かかるストッパ１１の角度調整は後述するように、開閉板７が回動して傾斜した場合に、開閉板７上にセットされている袋体２０の自由落下を阻止するように行われるものである。
【００１４】
なお、本体１の下面部には開閉板７が下方に抜き出ると共に、袋体２０を落下させる落下口１４が形成されている。さらに図示を省略するが、本体１内にはチャンバー６に対して減圧やガス置換を行うための管路等が配設され、チャンバー６内には袋口をシールするためのシール部材が配置されるものである。さらに本体１の落下口１４の下方には、落下する袋体２０を受け止めて、搬出するコンベヤ等の搬出部材１５が設けられている。
【００１５】
次に、この実施の形態の作動を図２により説明する。開閉板７が開口部９を閉鎖し、蓋体２が閉じた状態では、チャンバー６が形成され、チャンバー６内にセットされた袋体に対して真空処理、ガス置換、袋口のシール等の処理が行われる。この処理が終了した時点で、蓋体２が閉じたまま、開閉用シリンダ１０が作動して開閉板７が下方向（反時計方向）に回動する。
【００１６】
この回動によって開閉板７の傾斜角度が変化するが、この開閉板７の傾斜角度の変化に追随して調整用シリンダ１３が作動する。この調整用シリンダ１３の作動は、開閉板７の傾斜角度が大きくなるのにつれて、伸長し、これによりストッパ１１が開閉板７の自由端と臨むように、ストッパ１１の角度を調整する。これにより開閉板７上の袋体２０は開閉板７を滑ることなく、その自由落下が阻止される。このため袋体２０は開閉板７上に停止して、不用意に落下することがない。
【００１７】
そして開閉板７が本体１の下面部における落下口１４に達したとき、調整用シリンダ１３は短縮作動する。これにより実線で示すように、ストッパ１１が開閉板７の自由端から離れるため、袋体２０は落下口１４から下方に自由落下する。搬出部材１５はこの落下した袋体２０を受け止め、系外に搬出する。
【００１８】
このような実施の形態では、蓋体２が閉じ状態のまま袋体の取出を行うため、蓋体２の開放が必要なく、操作性が向上する。又、処理が終了した袋体２０は本体１の下部から取り出され、新たに処理する袋体は蓋体２側からセットされるため、これらの袋体が交錯することがなくなる。さらにストッパ１１が袋体２０の不用意な落下を防止するため、袋体が散乱することがない。
【００１９】
本発明は上述した実施の形態に限定されることなく、種々変形が可能である。例えば、開閉板７及びストッパ１１を回動させる手段として、モータ等の回転源と、この回転源に係合するカムによって行っても良い。
【００２０】
【発明の効果】
本発明の袋体処理装置は、開閉板の回動で本体の上面部が開放され、袋体が本体の下方から取り出されるため、蓋体を開く必要がなく、操作性が向上する。又、処理後の袋体が本体の下方に取り出され、新たに処理する袋体が本体の上方からセットされるため、これらが交錯することがなくなる。さらにストッパは開閉板の回動に追随して角度が変化して、袋体の自由落下を阻止するため袋体の不用意な落下がなく、袋体の散乱がなくなる。
【図面の簡単な説明】
【図１】本発明の実施の形態の全体側面図である。
【図２】実施の形態の作動を示す側面図である。
【図３】従来の装置の斜視図である。
【符号の説明】
１ 本体
２ 蓋体
６ チャンバー
７ 開閉板
１０ 開閉用シリンダ
１１ ストッパ
１３ 調整用シリンダ
２０ 袋体
【図１】
0003847369.tif 000002
【図２】
0003847369.tif 000003
【図３】
0003847369.tif 000004